【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
画像表示乃至はプリント装置における誤差拡散法を用いた階調表現方法において、
複数のドットによる組み合わせを１つの単位とし、少なくともその画素ユニットを並べた時の明るさを測定するステップと、
画素ユニットの明るさが滑らかに変化するように、出力が原画像のデータビットよりも多いビット数であるルックアップテーブルにより階調特性を制御するステップより構成される階調再現方法。
【請求項２】
前記画素ユニットのドットの組み合わせには、単調増加性又は単調減少性が保証されていることを特徴とする請求項１記載の階調再現方法。
【請求項３】
色毎に、画素ユニットに対して回転、移動又はこれらの組み合わせを行なうことを特徴とする請求項１記載の階調再現方法。
【請求項４】
原画像の画像データの拡大率に合わせて、画素ユニットサイズを変更する又は、１画素の画素ユニットサイズと切り換えすることを特徴とする請求項１記載の階調再現方法。
【請求項５】
画像表示乃至はプリント装置における階調表現方法において、
複数のドットによる組み合わせを１つの単位とし、少なくともその画素ユニットを並べた時の複数のドットの組み合わせによる明るさを測定するステップと、
該測定結果に基づき、画素ユニットを単調増加性又は単調減少性が保証されるように選択するステップより構成される階調再現方法。
【請求項６】
明るいハイライト部分では、画素ユニットサイズを拡大することを特徴とする請求項５記載の階調再現方法。
【請求項７】
ハイライト付近の無彩色では、少なくともＹ，Ｍ，Ｃのドットが発生するように色再現を行なうことと組み合わせることを特徴とする請求項５記載の階調再現方法。
【請求項８】
原画像の情報量が多い場合には、複数画素に対して１つの画素ユニットが分割対応することを特徴とする請求項５記載の階調再現方法。
【請求項９】
画像表示乃至はプリント装置における誤差拡散法を用いた階調表現装置において、
複数のドットによる組み合わせを１つの単位とし、少なくともその画素ユニットを並べた時の明るさを測定する手段と、
画素ユニットの濃さが滑らかに変化するように、出力が原画像のデータビットよりも多いビット数であるルックアップテーブルにより階調特性を制御する手段
とにより構成されることを特徴とする階調表現装置。
【請求項１０】
画像表示乃至はプリンタ装置における階調表現装置において、
複数のドットによる組み合わせを１つの単位とし、少なくともその画素ユニットを並べた時の複数のドットの組み合わせによる明るさを測定する手段と、
該測定結果に基づき、画素ユニットを単調増加性又は単調減少性が保証されるように選択する手段
とにより構成されることを特徴とする階調表現装置。
【請求項１１】
画像表示乃至はプリント装置における画素拡散法を用いた階調表現方法において、
複数のドットによる組み合わせを１つの単位とし、少なくともその画素ユニットを並べた時の明るさを測定するステップと、
画素ユニットの濃さが滑らかに変化するように、出力が原画像のデータビットよりも多いビット数であるルックアップテーブルにより階調特性を制御するステップをプログラムとして内蔵する電子記憶媒体。
【請求項１２】
画像表示乃至はプリント装置における階調表現方法において、
複数のドットによる組み合わせを１つの単位とし、少なくともその画素ユニットを並べた時の複数のドットの組み合わせによる明るさを測定するステップと、
該測定結果に基づき、画素ユニットを単調増加性又は単調減少性が保証されるように選択するステップをプログラムとして内蔵する電子記憶媒体。
【手続補正２】
【補正対象書類名】明細書
【補正対象項目名】０００７
【補正方法】変更
【補正の内容】
【０００７】
【課題を解決するための手段】
（１）前記した課題を解決する第１の発明は、画像表示乃至はプリント装置における誤差拡散法を用いた階調表現方法において、複数のドットによる組み合わせを１つの単位とし、少なくともその画素ユニットを並べた時の明るさを測定するステップと、
画素ユニットの明るさが滑らかに変化するように、出力が原画像のデータビットよりも多いビット数であるルックアップテーブルにより階調特性を制御するステップより構成されることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
（２）請求項１の発明において、前記画素ユニットのドットの組み合わせには、単調増加性又は単調減少性が保証されていることを特徴とする。
このように構成すれば、紙の変更、使用環境の変更によりプリンタの特性が変動した時も、階調性がジャンプしたり反転してしまうことがない。
【手続補正６】
【補正対象書類名】明細書
【補正対象項目名】００１２
【補正方法】変更
【補正の内容】
【００１２】
（３）請求項１記載の発明において、色毎に、画素ユニットを回転、移動又はこれらの組み合わせを行なうことを特徴とする。
このように構成すれば、ドットの重畳を避けることで、乾燥を早めたり、安定なプリント特性を得ることができる。
【手続補正７】
【補正対象書類名】明細書
【補正対象項目名】００１３
【補正方法】変更
【補正の内容】
【００１３】
（４）請求項１の発明において、原画像の画像データの拡大率に合わせて、画素ユニットサイズを変更することを特徴とする。
このように構成すれば、原画像の情報量に最適な拡大率を選べ、画質を最適化しながら計算時間を速くすることができる。
【手続補正８】
【補正対象書類名】明細書
【補正対象項目名】００１４
【補正方法】変更
【補正の内容】
【００１４】
（５）前記した課題を解決する第２の発明は、画像表示乃至はプリント装置における階調表現方法において、複数のドットによる組み合わせを１つの単位とし、少なくともその画素ユニットを並べた時の複数のドットの組み合わせによる明るさを測定するステップと、該測定結果に基づき、画素ユニットを単調増加性又は単調減少性が保証されるように選択するステップより構成されることを特徴とする。
【手続補正９】
【補正対象書類名】明細書
【補正対象項目名】００１５
【補正方法】変更
【補正の内容】
【００１５】
このように構成すれば、プリンタの予測できない非線形性も全て考慮に入れることができる。
【手続補正１０】
【補正対象書類名】明細書
【補正対象項目名】００１６
【補正方法】変更
【補正の内容】
【００１６】
（６）請求項５の発明において、明るいハイライト部分では、画素ユニットサイズを拡大することを特徴とする。
【手続補正１１】
【補正対象書類名】明細書
【補正対象項目名】００１７
【補正方法】変更
【補正の内容】
【００１７】
このように構成すれば、写真画質で最も重要なハイライト部分の安定性が増し、プリンタの特性変動に鈍感に対応することができる。
（７）請求項５記載の発明において、ハイライト付近の無彩色では、少なくともＹ，Ｍ，Ｃのドットが発生するように色再現を行なうことを特徴とする。
【手続補正１２】
【補正対象書類名】明細書
【補正対象項目名】００１８
【補正方法】変更
【補正の内容】
【００１８】
このように構成すれば、グレー付近での実際の分解能の低下を防ぐことができる。
（８）請求項５の発明において、原画像の情報量が多い場合には、複数画素に対して１つの画素ユニットが分割対応することを特徴とする。
【手続補正１３】
【補正対象書類名】明細書
【補正対象項目名】００２０
【補正方法】変更
【補正の内容】
【００２０】
（９）前記した課題を解決する第３の発明は、画像表示乃至はプリント装置における誤差拡散法を用いた階調表現装置において、複数のドットによる組み合わせを１つの単位とし、少なくともその画素ユニットを並べた時の明るさを測定する手段と、画素ユニットの濃さが滑らかに変化するように、出力が原画像のデータビットよりも多いビット数であるルックアップテーブルにより階調特性を制御する手段とにより構成されることを特徴とする。
【手続補正１４】
【補正対象書類名】明細書
【補正対象項目名】００２２
【補正方法】変更
【補正の内容】
【００２２】
（１０）前記した課題を解決する第４の発明は、画像表示乃至はプリンタ装置における階調表現装置において、複数のドットによる組み合わせを１つの単位とし、少なくともその画素ユニットを並べた時の複数のドットの組み合わせによる明るさを測定する手段と、該測定結果に基づき、画素ユニットを単調増加性又は単調減少性が保証されるように選択する手段とにより構成されることを特徴とする。
【手続補正１５】
【補正対象書類名】明細書
【補正対象項目名】００２３
【補正方法】変更
【補正の内容】
【００２３】
このように構成すれば、プリンタの予測できない非線形性も全て考慮に入れることができる。
（１１）前記した課題を解決する第５の発明は、画像表示乃至はプリント装置における画素拡散法を用いた階調表現方法において、複数のドットによる組み合わせを１つの単位とし、少なくともその画素ユニットを並べた時の明るさを測定するステップと、画素ユニットの濃さが滑らかに変化するように、出力が原画像のデータビットよりも多いビット数であるルックアップテーブルにより階調特性を制御するステップをプログラムとして内蔵することを特徴とする。
【手続補正１６】
【補正対象書類名】明細書
【補正対象項目名】００２５
【補正方法】変更
【補正の内容】
【００２５】
（１２）前記した課題を解決する第６の発明は、画像表示乃至はプリント装置における階調表現方法において、複数のドットによる組み合わせを１つの単位とし、少なくともその画素ユニットを並べた時の複数のドットの組み合わせによる明るさを測定するステップと、それに基づき、画素ユニットを単調増加性又は単調減少性が保証されるように選択するステップをプログラムとして内蔵することを特徴とする。
【手続補正１７】
【補正対象書類名】明細書
【補正対象項目名】００６３
【補正方法】変更
【補正の内容】
【００６３】
【発明の効果】
以上、詳細に説明したように、本発明によれば、以下の効果が得られる。
（１）請求項１記載の発明は、複数のドットによる組み合わせを１つの単位とし、少なくともその画素ユニットを並べた時の明るさを測定するステップと、画素ユニットの明るさが滑らかに変化するように出力が原画像のデータビットよりも多いビット数であるルックアップテーブルにより階調特性を制御するステップより構成される。この結果、多値化並びに画素ユニットの濃さが滑らかに変化するように、出力が原画像のデータビットよりも多いビット数であるルックアップテーブルにより階調特性を制御するので、写真画像に匹敵する疑似輪郭の目立たない滑らかな階調を高速に得ることができる。
【手続補正１８】
【補正対象書類名】明細書
【補正対象項目名】００６４
【補正方法】削除
【補正の内容】
【手続補正１９】
【補正対象書類名】明細書
【補正対象項目名】００６５
【補正方法】変更
【補正の内容】
【００６５】
（２）請求項２記載の発明は、前記画素ユニットのドットの組み合わせには、単調増加性又は単調減少性が保証されていることが特徴である。この結果、紙の変更、使用環境の変更によりプリンタの特性が変動した時も、階調性がジャンプしたり反転してしまうことがない。
【手続補正２０】
【補正対象書類名】明細書
【補正対象項目名】００６６
【補正方法】変更
【補正の内容】
【００６６】
（３）請求項３記載の発明は、色毎に、画素ユニットを回転、移動又はこれらの組み合わせを行なうことが特徴である。この結果、ドットの重畳を避けることで、乾燥を早めたり、安定なプリント特性を得ることができる。
【手続補正２１】
【補正対象書類名】明細書
【補正対象項目名】００６７
【補正方法】変更
【補正の内容】
【００６７】
（４）請求項４記載の発明は、原画像の画像データの拡大率に合わせて、画素ユニットサイズを変更することが特徴である。この結果、原画像の情報量に最適な拡大率を選べ、画質を最適化しながら計算時間を速くすることができる。
【手続補正２２】
【補正対象書類名】明細書
【補正対象項目名】００６８
【補正方法】変更
【補正の内容】
【００６８】
（５）請求項５記載の発明は、複数のドットによる組み合わせを１つの単位とし、少なくともその画素ユニットを並べた時の複数のドットの組み合わせによる明るさを測定するステップと、該測定結果に基づき、画素ユニットを単調増加性又は単調減少性が保証されるように選択するステップより構成される。この結果、プリンタの予測できない非線形性も全て考慮に入れることができる。
【手続補正２３】
【補正対象書類名】明細書
【補正対象項目名】００６９
【補正方法】削除
【補正の内容】
【手続補正２４】
【補正対象書類名】明細書
【補正対象項目名】００７０
【補正方法】変更
【補正の内容】
【００７０】
（６）請求項６記載の発明は、明るいハイライト部分では、画素ユニットサイズを拡大することが特徴である。この結果、写真画質で最も重要なハイライト部分の安定性が増し、プリンタの特性変動に鈍感に対応することができる。
【手続補正２５】
【補正対象書類名】明細書
【補正対象項目名】００７１
【補正方法】変更
【補正の内容】
【００７１】
（７）請求項７記載の発明は、ハイライト付近の無彩色では、少なくともＹ，Ｍ，Ｃのドットが発生するように色再現を行なうことが特徴である。この結果、グレー付近での実際の分解能の低下を防ぐことができる。
【手続補正２６】
【補正対象書類名】明細書
【補正対象項目名】００７２
【補正方法】変更
【補正の内容】
【００７２】
（８）請求項８記載の発明は、原画像の情報量が多い場合には、複数画素に対して１つの画素ユニットが分割対応することが特徴である。この結果、複数画素に対して１つのセルが分割対応することで、安定なスクリーンパターンを保ちながら見かけの分解能を向上させることができる。
【手続補正２７】
【補正対象書類名】明細書
【補正対象項目名】００７３
【補正方法】変更
【補正の内容】
【００７３】
（９）請求項９記載の発明は、複数のドットによる組み合わせを１つの単位とし、少なくともその画素ユニットを並べた時の明るさを測定する手段と、画素ユニットの濃さが滑らかに変化するようにルックアップテーブル又は関数式又はその組み合わせにより階調特性を制御する手段とにより構成されることが特徴である。この結果、多値化並びに画素ユニットの濃さが滑らかに変化するように、出力が原画像のデータビットよりも多いビット数であるルックアップテーブルにより階調特性を制御するので、写真画像に匹敵する疑似輪郭の目立たない滑らかな階調を高速に得ることができる。
【手続補正２８】
【補正対象書類名】明細書
【補正対象項目名】００７４
【補正方法】変更
【補正の内容】
【００７４】
（１０）請求項１０記載の発明は、複数のドットによる組み合わせを１つの単位とし、少なくともその画素ユニットを並べた時の複数のドットの組み合わせによる明るさを測定する手段と、該測定結果に基づき、画素ユニットを単調増加性又は単調減少性が保証されるように選択する手段とにより構成されることが特徴である。この結果、プリンタの予測できない非線形性も全て考慮に入れることができる。
【手続補正２９】
【補正対象書類名】明細書
【補正対象項目名】００７５
【補正方法】変更
【補正の内容】
【００７５】
（１１）請求項１１記載の発明は、複数のドットによる組み合わせを１つの単位とし、少なくともその画素ユニットを並べた時の明るさを測定するステップと、画素ユニットの濃さが滑らかに変化するように出力が原画像のデータビットよりも多いビット数であるルックアップテーブルにより階調特性を制御するステップをプログラムとして内蔵することを特徴とする。この結果、多値化並びに画素ユニットの濃さが滑らかに変化するようにルックアップテーブル等により階調特性を制御するので、写真画像に匹敵する疑似輪郭の目立たない滑らかな階調を高速に得ることができる電子記憶媒体を実現することができる。
【手続補正３０】
【補正対象書類名】明細書
【補正対象項目名】００７６
【補正方法】変更
【補正の内容】
【００７６】
（１２）請求項１２記載の発明は、複数のドットによる組み合わせを１つの単位とし、少なくともその画素ユニットを並べた時の複数のドットの組み合わせによる明るさを測定するステップと、それに基づき、画素ユニットを単調増加性又は単調減少性が保証されるように選択するステップをプログラムとして内蔵することを特徴とする。この結果、プリンタの予測できない非線形性も全て考慮に入れることができる電子記憶媒体を実現することができる。